(57)【要約】【課題】水をオゾンおよび金属イオンのそれぞれを用いることなく殺菌すること。【解決手段】紫外線ランプは保護管を通して除菌室内に紫外線を投射するものであり、除菌室内の水は紫外線で除菌される。この除菌室は除菌容器と第１の蓋と第２の蓋で囲まれたものであり、第１の蓋には第１の反射面が設けられ、第２の蓋には第２の反射面が設けられている。これら第１の反射面および第２の反射面のそれぞれは傾斜状をなすものであり、第１の反射面は紫外線を反射するための第１の反射層で覆われ、第２の反射面は紫外線を反射するための第２の反射層で覆われている。【選択図】図２
2014014798.tif 000002
【特許請求の範囲】
【請求項１】
第１の端部および第２の端部を有する筒状をなすものであって、当該第１の端部および当該第２の端部のそれぞれが開口すると共に内周面が紫外線を反射可能な反射層で覆われた除菌容器と、
前記除菌容器の第１の端部で前記除菌容器の内周面に嵌合されたものであって、前記除菌容器の軸方向に沿う第１の貫通孔を有する第１の蓋と、
前記除菌容器の第２の端部で前記除菌容器の内周面に嵌合されたものであって、前記除菌容器の軸方向に沿う第２の貫通孔を有する第２の蓋と、
前記除菌容器に設けられ、前記第１の蓋と前記第２の蓋と前記除菌容器で囲まれた除菌室内に水を供給するための入口と、
前記除菌容器に設けられ、前記除菌室内から水を排出するための出口と、
前記第１の蓋に前記除菌容器内に位置して設けられた環状の第１のシール部材と、
前記第２の蓋に前記除菌容器内に位置して設けられた環状の第２のシール部材と、
一方の端部が前記第１のシール部材で支持され且つ他方の端部が前記第２のシール部材で支持されることで前記除菌室内に収納されたものであって、紫外線が透過可能な保護管と、
前記保護管を通して前記除菌室内に紫外線を投射可能となるように前記保護管内に収納された紫外線ランプと、
前記第１の貫通孔の壁面および前記紫外線ランプの外周面相互間に挿入された筒状をなすものであって、前記紫外線ランプの一方を前記第１の蓋に弾性力で固定する第１の固定部材と、
前記第２の貫通孔の壁面および前記紫外線ランプの外周面相互間に挿入された筒状をなすものであって、前記紫外線ランプの他方を前記第２の蓋に弾性力で固定する第２の固定部材と、
前記第１の蓋に前記除菌室内に位置して設けられ、前記保護管を囲む環状をなすものであって前記保護管の表面から径方向へ遠ざかることに応じて前記除菌容器の第２の端部に接近する傾斜状をなすと共に前記紫外線ランプから前記保護管を通して前記除菌室内に投射された紫外線を反射する第１の反射面と、
前記第２の蓋に前記除菌室内に位置して設けられ、前記保護管を囲む環状をなすものであって前記保護管の表面から径方向へ遠ざかることに応じて前記除菌容器の第１の端部に接近する傾斜状をなすと共に前記紫外線ランプから前記保護管を通して前記除菌室内に投射された紫外線を反射する第２の反射面を備えたことを特徴とする除菌浄化装置。
【請求項２】
前記第１の反射面は、前記第１の反射面に比べて紫外線の反射率が高い第１の反射層で覆われ、
前記第２の反射面は、前記第２の反射面に比べて紫外線の反射率が高い第２の反射層で覆われていることを特徴とする請求項１に記載の除菌浄化装置。
【請求項３】
前記除菌容器の反射層は、前記第１の反射層および前記第２の反射層のそれぞれに比べて紫外線の反射率が高いことを特徴とする請求項２に記載の除菌浄化装置。
【請求項４】
前記第１の反射面および前記第２の反射面のそれぞれは、前記除菌容器を軸方向から見た場合の前記除菌容器の軸心線を通る直線に沿う断面が円弧面に設定されていることを特徴とする請求項１〜３のいずれかに記載の除菌浄化装置。
【発明の詳細な説明】
【技術分野】
【０００１】
本実施例は除菌浄化装置に関する。
【背景技術】
【０００２】
例えば洗濯機には除菌浄化装置を備えたものがある。この除菌浄化装置は風呂水を除菌するものであり、風呂水は除菌されることで衣類を洗うための水または衣類をすすぐための水として使用される。
【先行技術文献】
【特許文献】
【０００３】
【特許文献１】特開２００４−２５０７２号公報
【特許文献２】特開２００２−８６１４５号公報
【発明の概要】
【発明が解決しようとする課題】
【０００４】
従来の除菌浄化装置の場合には外部に溜めた水、本実施例では例えば風呂水をオゾンまたは金属イオンで除菌している。この風呂水をオゾンで除菌する場合には人体に有害なガスが除菌浄化装置から外部に漏れる虞があり、風呂水を金属イオンで除菌する場合には衣類に金属イオンが付着することで衣類が変色する虞がある。
【課題を解決するための手段】
【０００５】
本実施例の除菌浄化装置は、第１の端部および第２の端部を有する筒状をなすものであって当該第１の端部および当該第２の端部のそれぞれが開口すると共に内周面が紫外線を反射可能な反射層で覆われた除菌容器と、前記除菌容器の第１の端部で前記除菌容器の内周面に嵌合されたものであって前記除菌容器の軸方向に沿う第１の貫通孔を有する第１の蓋と、前記除菌容器の第２の端部で前記除菌容器の内周面に嵌合されたものであって前記除菌容器の軸方向に沿う第２の貫通孔を有する第２の蓋と、前記除菌容器に設けられ前記第１の蓋と前記第２の蓋と前記除菌容器で囲まれた除菌室内に水を供給するための入口と、前記除菌容器に設けられ前記除菌室内から水を排出するための出口と、前記第１の蓋に前記除菌容器内に位置して設けられた環状の第１のシール部材と、前記第２の蓋に前記除菌容器内に位置して設けられた環状の第２のシール部材と、一方の端部が前記第１のシール部材で支持され且つ他方の端部が前記第２のシール部材で支持されることで前記除菌室内に収納されたものであって紫外線が透過可能な保護管と、前記保護管を通して前記除菌室内に紫外線を投射可能となるように前記保護管内に収納された紫外線ランプと、前記第１の貫通孔の壁面および前記紫外線ランプの外周面相互間に挿入された筒状をなすものであって前記紫外線ランプの一方を前記第１の蓋に弾性力で固定する第１の固定部材と、前記第２の貫通孔の壁面および前記紫外線ランプの外周面相互間に挿入された筒状をなすものであって前記紫外線ランプの他方を前記第２の蓋に弾性力で固定する第２の固定部材と、前記第１の蓋に前記除菌室内に位置して設けられ前記保護管を囲む環状をなすものであって前記保護管の表面から径方向へ遠ざかることに応じて前記除菌容器の第２の端部に接近する傾斜状をなすと共に前記紫外線ランプから前記保護管を通して前記除菌室内に投射された紫外線を反射する第１の反射面と、前記第２の蓋に前記除菌室内に位置して設けられ前記保護管を囲む環状をなすものであって前記保護管の表面から径方向へ遠ざかることに応じて前記除菌容器の第１の端部に接近する傾斜状をなすと共に前記紫外線ランプから前記保護管を通して前記除菌室内に投射された紫外線を反射する第２の反射面を備えたところに特徴を有する。
【図面の簡単な説明】
【０００６】
【図１】実施例１を示す図（洗濯機の内部構成を示す図）
【図２】除菌浄化装置を示す図（ａはＸａ線に沿う断面図、ｂはＸｂ視図）
【図３】左蓋を示す図（ａはＸａ線に沿う断面図、ｂはＸｂ視図、ｃはＸｃ視図）
【発明を実施するための形態】
【実施例１】
【０００７】
図１の外箱１は床面に設置されるものであり、外箱１内には水槽２が収納されている。この水槽２は水道水および風呂水のそれぞれを受けるものであり、底板を有する縦長な円筒状をなしている。この水槽２の底板には水槽２の外部に位置して洗濯モータ３が固定されている。この洗濯モータ３は上下方向へ指向する回転軸４を有するものであり、洗濯モータ３の回転軸４は水槽２内に挿入されている。この洗濯モータ３はクラッチ機構を有するものであり、クラッチ機構は洗いモードおよび脱水モード相互間で機械的な状態が切換えられる。
【０００８】
洗濯モータ３の回転軸４には、図１に示すように、洗濯槽５およびパルセータ６が連結されている。洗濯槽５は底板を有する縦長な円筒状をなすものであり、水槽２内に収納されている。この洗濯槽５は複数の貫通孔を有するものであり、水槽２内の水道水および風呂水のそれぞれは複数の貫通孔を通して水槽２内および洗濯槽５内相互間で流通可能にされている。この洗濯槽５は衣類が投入されるものであり、パルセータ６は洗濯槽５内の底部に収納されている。このパルセータ６は洗濯槽５内の水道水と風呂水と衣類のそれぞれを撹拌するものであり、洗濯モータ３はクラッチ機構の洗いモードで運転されることでパルセータ６を洗濯槽５の静止状態で回転操作し、クラッチ機構の脱水モードで運転されることで洗濯槽５およびパルセータ６のそれぞれを回転操作する。
【０００９】
外箱１内には、図１に示すように、給水弁７が固定されている。この給水弁７は入口８を有するものであり、給水弁７の入口８はホースを介して水道の蛇口に接続されている。この給水弁７は注水口９および呼び水口１０を有するものであり、閉鎖状態と注水状態と呼び水状態相互間で切換えられる。この閉鎖状態は注水口９および呼び水口１０のそれぞれが閉鎖された状態であり、注水状態は呼び水口１０の閉鎖状態で注水口９が開放された状態であり、呼び水状態は注水口９の閉鎖状態で呼び水口１０が開放された状態である。
【００１０】
外箱１内には、図１に示すように、注水ケース１１が固定されている。この注水ケース１１はホース１２を介して給水弁７の注水口９に接続されたものであり、給水弁７の注水状態では水道の蛇口から注水口９とホース１２と注水ケース１１のそれぞれを順に通して水槽２内に水道水が注入される。
【００１１】
外箱１内には、図１に示すように、給水ポンプ１３が固定されている。この給水ポンプ１３はポンプモータを駆動源とするものであり、入口１４と出口１５と呼び水口１６を有している。この給水ポンプ１３の入口１４にはホース１７を介して給水口１８が接続されている。この給水口１８は浴槽１９内の風呂水中に沈められるものであり、給水口１８が風呂水中に沈められた状態でポンプモータが運転された場合には風呂水が給水口１８からホース１７および入口１４のそれぞれを通して給水ポンプ１３内に吸い上げられる。
【００１２】
給水ポンプ１３の呼び水口１６は、図１に示すように、ホース２０を介して給水弁７の呼び水口１０に接続されたものであり、給水弁７の呼び水状態では水道の蛇口から呼び水口１０とホース２０と呼び水口１６のそれぞれを通して給水ポンプ１３に水道水が呼び水として供給される。このホース２０には逆止弁２１が介在されている。この逆止弁２１は給水弁７の呼び水口１０からホース２０を通して給水ポンプ１３の呼び水口１６に水道水が供給されることを許容するものであり、給水ポンプ１３の呼び水口１６からホース２０を通して給水弁７の呼び水口１０に風呂水が供給されることを禁止する。
【００１３】
外箱１内には、図１に示すように、除菌浄化装置２２が固定されている。この除菌浄化装置２２は入口２３および出口２４を有するものであり、除菌浄化装置２２の入口２３はホース２５を介して給水ポンプ１３の出口１５に接続され、除菌浄化装置２２の出口２４はホース２６を介して注水ケース１１に接続されている。この除菌浄化装置２２はポンプモータが運転された場合に給水ポンプ１３の出口１５からホース２５および入口２３のそれぞれを順に通して風呂水が注入されるものであり、除菌浄化装置２２内に注入された風呂水は除菌浄化装置２２の出口２４からホース２６および注水ケース１１のそれぞれを順に通して水槽２内に注入される。
【００１４】
水槽２には、図１に示すように、排水管２７が接続されており、排水管２７には排水弁２８が介在されている。この排水弁２８は閉鎖状態および開放状態相互間で切換えられるものであり、排水弁２８の閉鎖状態では注水ケース１１内から水槽２内に注入された水道水および風呂水のそれぞれが水槽２内に貯留され、排水弁２８の開放状態では水槽２内の水道水および風呂水のそれぞれが排水管２７を通して排出される。
【００１５】
除菌浄化装置２２は風呂水が注入された場合に風呂水を除菌することで浄化するものであり、除菌浄化装置２２が除菌した風呂水は注水ケース１１を通して水槽２内に衣類を洗うための水および衣類をすすぐための水のそれぞれとして注入される。この除菌浄化装置２２の詳細構成は次の通りである。
【００１６】
外箱１内には、図２に示すように、左右方向へ指向する除菌容器３１が固定されている。この除菌容器３１は合成樹脂を射出成形してなるものであり、左端面および右端面のそれぞれが開口する水平な円筒状をなしている。この除菌容器３１の内周面には円筒状の反射板３２が固定されている。この反射板３２は紫外線を反射可能なステンレス板を丸めてなるものであり、除菌容器３１の内周面を覆っている。この反射板３２は除菌容器の反射層に相当するものであり、反射板３２の内周面の紫外線の反射率は除菌容器３１の内周面の紫外線の反射率に比べて高く設定されている。この反射率は紫外線が垂直に入射した場合の反射光のエネルギーと入射光のエネルギーとの比を百分率で表した数値である。
【００１７】
除菌容器３１には、図２に示すように、左蓋３３および右蓋３４が固定されている。これら左蓋３３および右蓋３４のそれぞれは合成樹脂を射出成形してなるものであり、円柱状の栓３５および円板状の端板３６を有している。左蓋３３の栓３５は左から反射板３２の内周面に嵌合され、右蓋３４の栓３５は右から反射板３２の内周面に嵌合されたものであり、左蓋３３の栓３５と右蓋３４の栓３５と反射板３２との間には空間状の除菌室３７が形成されている。この左蓋３３は第１の蓋に相当し、右蓋３４は第２の蓋に相当する。
【００１８】
左蓋３３の端板３６および右蓋３４の端板３６のそれぞれは、図３に左蓋３３を代表して示すように、複数の貫通孔３８を有するものであり、図２に示すように、左蓋３３の複数の貫通孔３８内のそれぞれには左からネジ３９が挿入され、右蓋３４の複数の貫通孔３８内のそれぞれには右からネジ３９が挿入されている。左蓋３３の複数のネジ３９のそれぞれは除菌容器３１の左端面に螺合されており、左蓋３３は複数のネジ３９の締結力で除菌容器３１の左端面に固定されている。右蓋３４の複数のネジ３９のそれぞれは除菌容器３１の右端面に螺合されており、右蓋３４は複数のネジ３９の締結力で除菌容器３１の右端面に固定されている。
【００１９】
左蓋３３の栓３５の外周面には、図２に示すように、ゴム製の左パッキン４０が挿入されている。この左パッキン４０は円環状をなすものであり、左蓋３３の複数のネジ３９のそれぞれは左パッキン４０を貫通して除菌容器３１の左端面に螺合されている。この左パッキン４０は左蓋３３の複数のネジ３９の締結力で弾性的に押し潰されたものであり、除菌容器３１の左端面と反射板３２の左端面と左蓋３３の端板３６のそれぞれに弾性復元力で密着することで除菌容器３１の左端面および左蓋３３の端板３６相互間を水密状態にシールすると共に反射板３２の左端面および左蓋３３の端板３６相互間を水密状態にシールしている。
【００２０】
右蓋３４の栓３５の外周面には、図２に示すように、ゴム製の右パッキン４１が挿入されている。この右パッキン４１は円環状をなすものであり、右蓋３４の複数のネジ３９のそれぞれは右パッキン４１を貫通して除菌容器３１の右端面に螺合されている。この右パッキン４１は右蓋３４の複数のネジ３９の締結力で弾性的に押し潰されたものであり、除菌容器３１の右端面と反射板３２の右端面と右蓋３４の端板３６のそれぞれに弾性復元力で密着することで除菌容器３１の右端面および右蓋３４の端板３６相互間を水密状態にシールすると共に反射板３２の右端面および右蓋３４の端板３６相互間を水密状態にシールしている。
【００２１】
除菌容器３１には、図２に示すように、上下方向へ指向する垂直な円筒状の入口２３が固定されている。この入口２３は合成樹脂を射出成形してなるものであり、左右方向から見た場合に除菌容器３１の軸心線ＣＬを通る垂直な直線Ｌ上に配置されている。この入口２３の上端部は反射板３２を貫通して除菌室３７内の左端部に接続され、入口２３の下端部はホース２５を介して給水ポンプ１３の出口１５に接続されており、ポンプモータが運転された場合には給水ポンプ１３の出口１５からホース２５および入口２３のそれぞれを通して除菌室３７内の左端部に風呂水が注入される。
【００２２】
除菌容器３１には、図２に示すように、上下方向へ指向する垂直な円筒状の出口２４が固定されている。この出口２４は合成樹脂を射出成形してなるものであり、左右方向から見た場合に入口２３と共通の直線Ｌ上に配置されている。この出口２４の下端部は反射板３２を貫通して除菌室３７内の右端部に接続され、出口２４の上端部はホース２６および注水ケース１１を介して水槽２内に接続されており、ポンプモータが運転された場合には除菌室３７内の風呂水が出口２４からホース２６および注水ケース１１を通して水槽２内に注入される。
【００２３】
左蓋３３には、図３に示すように、左ランプ挿入孔４２が形成されている。この左ランプ挿入孔４２は左右方向へ指向する貫通孔からなるものであり、左右方向から見た場合に左蓋３３の栓３５および端板３６のそれぞれに対して同心な円形状に設定されている。この左ランプ挿入孔４２内には、図２に示すように、左ランプ固定ゴム４３が挿入されている。この左ランプ固定ゴム４３は左右方向へ指向する円筒状をなすものであり、自然状態での外径寸法が左ランプ挿入孔４２の内径寸法に比べて大きく設定されている。この左ランプ固定ゴム４３は左ランプ挿入孔４２の壁面で押されることで弾性変形するものであり、左ランプ挿入孔４２の壁面に弾性復元力で密着することで左蓋３３に固定されている。この左ランプ固定ゴム４３は第１の固定部材に相当し、左ランプ挿入孔４２は第１の貫通孔に相当する。
【００２４】
右蓋３４には、図２に示すように、右ランプ挿入孔４４が形成されている。この右ランプ挿入孔４４は左右方向へ指向する貫通孔からなるものであり、左右方向から見た場合に右蓋３４の栓３５および端板３６のそれぞれに対して同心な円形状に設定されている。この右ランプ挿入孔４４内には右ランプ固定ゴム４５が挿入されている。この右ランプ固定ゴム４５は左右方向へ指向する円筒状をなすものであり、自然状態での外径寸法が右ランプ挿入孔４４の内径寸法に比べて大きく設定されている。この右ランプ固定ゴム４５は右ランプ挿入孔４４の壁面で押されることで弾性変形するものであり、右ランプ挿入孔４４の壁面に弾性復元力で密着することで右蓋３４に固定されている。この右ランプ固定ゴム４５は第２の固定部材に相当し、右ランプ挿入孔４４は第２の貫通孔に相当する。
【００２５】
除菌容器３１内には、図２に示すように、ＵＶランプ４６が収納されている。このＵＶランプ４６は陰極からの電子の放出に外部からの加熱用エネルギーを必要としない冷陰極ランプからなるものであり、フィラメントを有していない。このＵＶランプ４６は２５４ｎｍの波長の殺菌用の紫外線を投射するものであり、左右方向へ指向する水平な円筒状のガラス管を有している。このガラス管は紫外線を透過可能な石英ガラスを材料に成形されたものであり、ガラス管内にはアルゴン等の不活性ガスおよび水銀が封入されている。このガラス管の左端部は左ランプ固定ゴム４３の内周面に挿入されており、ガラス管の右端部は右ランプ固定ゴム４５の内周面に挿入されている。このＵＶランプ４６は紫外線ランプに相当する。
【００２６】
ＵＶランプ４６のガラス管の外径寸法は左ランプ固定ゴム４３の自然状態での内径寸法および右ランプ固定ゴム４５の自然状態での内径寸法のそれぞれに比べて大きく設定されている。これら左ランプ固定ゴム４３および右ランプ固定ゴム４５のそれぞれはガラス管の外周面で押されることで弾性変形するものであり、ガラス管の左端部は左ランプ固定ゴム４３が弾性復元力でガラス管の外周面に密着することで左蓋３３に左ランプ固定ゴム４３を介して固定され、ガラス管の右端部は右ランプ固定ゴム４４が弾性復元力でガラス管の外周面に密着することで右蓋３４に右ランプ固定ゴム４５を介して固定されている。
【００２７】
ＵＶランプ４６のガラス管は、図２に示すように、左端部および右端部のそれぞれを除く中央部が除菌室３７内に収納されたものであり、ガラス管の軸心線は除菌容器３１の軸心線ＣＬに重ねられている。このガラス管の内周面には左端部および右端部のそれぞれに位置して電極４７が嵌合されている。これら２つの電極４７のそれぞれは電源にリード線を介して電気的に接続されたものであり、２つの電極４７相互間に電圧が印加された場合にはガラス管を通して紫外線が照射される。
【００２８】
左蓋３３の栓３５には、図３に示すように、左シール挿入部４８が形成されている。この左シール挿入部４８は右面および内周面のそれぞれが開口する切欠状をなすものであり、左右方向から見た場合に左蓋３３の栓３５および端板３６のそれぞれに対して同心な円形状に設定されている。この左シール挿入部４８内には、図２に示すように、ゴム製の左シール部材４９が挿入されており、左シール部材４９は左シール挿入部４８の壁面に接着剤で固定されている。この左シール部材４９は円環状をなすものであり、左シール部材４９の自然状態での外径寸法は左シール挿入部４８の内径寸法に比べて大きく設定されている。この左シール部材４９は左シール挿入部４８の壁面で径方向へ押されることで弾性変形するものであり、左シール挿入部４８の壁面に弾性復元力で密着している。この左シール部材４９は第１のシール部材に相当する。
【００２９】
右蓋３４には、図２に示すように、右シール挿入部５０が形成されている。この右シール挿入部５０は左面および内周面のそれぞれが開口する切欠状をなすものであり、左右方向から見た場合に右蓋３４の栓３５および端板３６のそれぞれに対して同心な円形状に設定されている。この右シール挿入部５０内にはゴム製の右シール部材５１が挿入されており、右シール部材５１は右シール挿入部５０の壁面に接着剤で固定されている。この右シール部材５１は円環状をなすものであり、右シール部材５１の自然状態での外径寸法は右シール挿入部５０の内径寸法に比べて大きく設定されている。この右シール部材５１は右シール挿入部５０の壁面で径方向へ押されることで弾性変形するものであり、右シール挿入部５０の壁面に弾性復元力で密着している。この右シール部材５１は第２のシール部材に相当する。
【００３０】
左シール部材４９には、図２に示すように、左管挿入部５２が形成されている。この左管挿入部５２は右面が開口する円環状の凹部からなるものであり、左管挿入部５２内には右から保護管５３の左端部が挿入されている。この保護管５３は左右方向へ指向する水平な円筒状をなすものであり、保護管５３の径方向の厚さ寸法は左シール部材４９の自然状態での左管挿入部５２の径方向の幅寸法に比べて大きく設定されている。この左シール部材４９は保護管５３の外周面および内周面のそれぞれに弾性復元力で密着するものであり、保護管５３は左シール部材４９の密着力で左蓋３３の栓３５に左シール部材４９を介して固定され、左シール部材４９は保護管５３および左蓋３３の栓３５相互間を水密状態にシールしている。
【００３１】
右シール部材５１には、図２に示すように、右管挿入部５４が形成されている。この右管挿入部５４は左面が開口する円環状の凹部からなるものであり、右管挿入部５４内には左から保護管５３の右端部が挿入されている。この保護管５３の径方向の厚さ寸法は右シール部材５１の自然状態での右管挿入部５４の径方向の幅寸法に比べて大きく設定されており、右シール部材５１は保護管５３の外周面および内周面のそれぞれに弾性復元力で密着し、保護管５３は右シール部材５１の密着力で右蓋３４の栓３５に右シール部材５１を介して固定され、右シール部材５１は保護管５３および右蓋３４の栓３５相互間を水密状態にシールしている。
【００３２】
保護管５３は紫外線を透過可能なＰＴＦＥ（ポリテトラフルオロエチレン）を射出成形してなるものであり、保護管５３の内径寸法はＵＶランプ４６のガラス管の外径寸法に比べて大きく設定されている。この保護管５３はＵＶランプ４６の中央部が収納されたものであり、保護管５３は保護管５３の軸心線が除菌容器３１およびＵＶランプ４６のそれぞれの軸心線ＣＬに重なるように配置されている。この保護管５３はＵＶランプ４６が除菌室３７内の風呂水で濡れることを防止するものであり、ＵＶランプ４６のガラス管を通して投射された紫外線を除菌室３７内に照射する。即ち、ポンプモータの運転状態では風呂水が除菌容器３１の入口２３から除菌室３７内に進入した後に出口２４から脱出する。このポンプモータの運転状態でＵＶランプ４６の両電極４７に電源が供給された場合にはＵＶランプ４６から保護管５３を通して除菌室３７内に紫外線が投射され、風呂水が除菌室３７内に留まる期間内に風呂水に紫外線が照射されることで風呂水が除菌される。
【００３３】
左蓋３３の栓３５には、図３に示すように、左反射面５５が形成されている。この左反射面５５は、図２に示すように、保護管５３を取囲む円環状をなすものであり、保護管５３の表面から径方向へ遠ざかることに応じて右へ指向する傾斜状をなしている。この左反射面５５は除菌容器３１を左右方向から見た場合のＵＶランプ４６の軸心線ＣＬを通る直線Ｌに沿う断面がＵＶランプ４６の軸心線ＣＬ上の一点を中心とする円弧面に設定されたものであり、第１の反射面に相当する。
【００３４】
左蓋３３の左反射面５５には、図２に示すように、左反射層５６が形成されている。この左反射層５６は左反射面５５を覆うものであり、左反射面５５にクロムメッキを施すことで形成されている。この左反射層５６は左反射面５５に比べて紫外線の反射率が高いものであり、ＵＶランプ４６から保護管５３を通して除菌室３７内に投射された紫外線を反射する。この左反射層５６は第１の反射層に相当するものであり、除菌容器３１の反射板３２は左反射層５６に比べて反射率が高く設定されている。
【００３５】
右蓋３４の栓３５には、図２に示すように、右反射面５７が形成されている。この右反射面５７は保護管５３を取囲む円環状をなすものであり、保護管５３の表面から径方向へ遠ざかることに応じて左へ指向する傾斜状をなしている。この右反射面５７は除菌容器３１を左右方向から見た場合のＵＶランプ４６の軸心線ＣＬを通る直線Ｌに沿う断面がＵＶランプ４６の軸心線ＣＬ上の一点を中心とする円弧面に設定されたものであり、第２の反射面に相当する。
【００３６】
右蓋３４の右反射面５７には、図２に示すように、右反射層５８が形成されている。この右反射層５８は右反射面５７を覆うものであり、右反射面５７にクロムメッキを施すことで形成されている。この右反射層５８は右反射面５７に比べて紫外線の反射率が高いものであり、ＵＶランプ４６から保護管５３を通して除菌室３７内に投射された紫外線を反射する。この右反射層５８は第２の反射層に相当するものであり、除菌容器３１の反射板３２は右反射層５８に比べて反射率が高く設定されている。
【００３７】
次に除菌浄化装置２２の組立手順を説明する。
１）右蓋３４の栓３５の外周面に右パッキン４１を挿入する。この右蓋３４は右シール部材５１が固定されたものであり、右蓋３４の栓３５の外周面に右パッキン４１を挿入した場合には右蓋３４の栓３５を反射板３２の内周面に右から嵌合する。この反射板３２は除菌容器３１の内周面に固定されたものであり、除菌容器３１には入口２３および出口２４のそれぞれが既に固定されている。
２）右蓋３４の栓３５を反射板３２の内周面に嵌合した場合には右蓋３４の複数の貫通孔３８内のそれぞれに右からネジ３９を挿入し、複数のネジ３９のそれぞれを除菌容器３１の右端面に螺合することで右蓋３４を除菌容器３１に固定する。
３）右蓋３４を除菌容器３１に固定した場合には除菌容器３１内に左から保護管５３を挿入し、保護管５３の右端部を右シール部材５１の右管挿入部５４内に押込む。
４）保護管５３の右端部を右シール部材５１の右管挿入部５４内に押込んだ場合には左蓋３３の栓３５の外周面に左パッキン４０を挿入する。この左蓋３３は左シール部材４９が固定されたものであり、左蓋３３の栓３５の外周面に左パッキン４０を挿入した場合には左蓋３３の栓３５を反射板３２の内周面に左から嵌合する。この場合には除菌容器３１内に保護管５３が収納されており、左シール部材４９の左管挿入部５２内に保護管５３の左端部が押込まれる。
５）左蓋３３の栓３５を反射板３２の内周面に嵌合した場合には左蓋３３の複数の貫通孔３８内のそれぞれに左からネジ３９を挿入し、複数のネジ３９のそれぞれを除菌容器３１の左端面に螺合することで左蓋３３を除菌容器３１に固定する。
６）左蓋３３を除菌容器３１に固定した場合には右蓋３４の右ランプ挿入孔４４を通して左蓋３３の左ランプ挿入孔４２にＵＶランプ４６の左端部を挿入し、右蓋３４の右ランプ挿入孔４４にＵＶランプ４６の右端部を配置する。この状態で左ランプ挿入孔４２の壁面およびＵＶランプ４６の外周面相互間の隙間に左から左ランプ固定ゴム４３を押込むことでＵＶランプ４６の左端部を左蓋３３に弾性的に固定し、右ランプ挿入孔４４の壁面およびＵＶランプ４６の外周面相互間の隙間に右から右ランプ固定ゴム４５を押込むことでＵＶランプ４６の右端部を右蓋３４に弾性的に固定する。
【００３８】
上記実施例１によれば次の効果を奏する。
左蓋３３の栓３５に傾斜状の左反射面５５を形成すると共に左反射面５５を左反射層５６で覆い、右蓋３４の栓３５に傾斜状の右反射面５７を形成すると共に右反射面５７を右反射層５８で覆ったので、左蓋３３および右蓋３４のそれぞれの栓３５の端面を垂直な平面とする場合に比べて紫外線が除菌室３７の軸心線ＣＬに向けて反射され易くなる。従って、除菌室３７内の風呂水に対する紫外線の照射量が増えるので、風呂水の除菌能力が向上する。しかも、左蓋３３の左反射面５５が反射板３２の内周面に対して鈍角に交差し、右蓋３４の右反射面５７が反射板３２の内周面に対して鈍角に交差するので、左反射面５５および反射板３２の内周面相互間の交差部分に異物が溜まり難くなり、右反射面５７および反射板３２の内周面相互間の交差部分に異物が溜まり難くなる。
【００３９】
ＵＶランプ４６の左端部を左蓋３３に左ランプ固定ゴム４３を介して弾性的に固定し、ＵＶランプ４６の右端部を右蓋３４に右ランプ固定ゴム４５を介して弾性的に固定した。このため、衣類を洗濯する場合の振動が左ランプ固定ゴム４３および右ランプ固定ゴム４５のそれぞれで吸収されるので、左蓋３３および右蓋３４のそれぞれからＵＶランプ４６に振動が伝わり難くなる。従って、ＵＶランプ４６のガラス管が振動で破損することが防止される。しかも、ＵＶランプ４６を保護管５３内に収納したので、ＵＶランプ４６のガラス管が破損した場合であってもガラス片が飛散することが防止される。
【００４０】
除菌容器３１を軸方向から見た場合の除菌容器３１の軸心線ＣＬを通る直線Ｌに沿う左反射面５５および右反射面５６のそれぞれの断面を円弧面に設定したので、紫外線が除菌室３７の軸心線ＣＬに向けて一層反射され易くなる。従って、除菌室３７内の風呂水に対する紫外線の照射量が一層増えるので、風呂水の除菌能力が一層向上する。
【００４１】
反射板３２の紫外線の反射率を左反射層５６および右反射層５８のそれぞれの紫外線の反射率に比べて高く設定した。この反射板３２はＵＶランプ４６から保護管５３を通して投射された紫外線が左反射層５６および右反射層５８のそれぞれに比べて直角に入射し易いものであり、反射板３２の紫外線の反射率を左反射層５６および右反射層５８のそれぞれの紫外線の反射率に比べて高く設定することで多量の紫外線を除菌容器３１の軸心線ＣＬに向けて反射することができる。
【００４２】
ＵＶランプ４６を水平に設置した。このため、ＵＶランプ４６のガラス管の軸方向の全体にガス成分が分散するので、ＵＶランプ４６のガラス管の軸方向の全体から紫外線が均一に照射される。
【００４３】
ＵＶランプ４６として冷陰極ランプを用いたので、衣類を洗濯する場合の振動でフィラメントが破断することがなくなる。このため、フィラメントが破断することでＵＶランプ４６が故障することがなくなるので、衣類を洗濯する場合の振動に影響されることなくＵＶランプ４６から紫外線が安定的に照射される。
【００４４】
ＵＶランプ４６のガラス管の外周面を保護管５３の内周面から離間させたので、ＵＶランプ４６から保護管５３に熱が伝わり難くなり、風呂水から保護管５３を通してＵＶランプ４６に熱が伝わり難くなる。
【００４５】
上記実施例１においては、除菌浄化装置２２を組立てる場合に除菌容器３１の左端部に左蓋３３を固定した後に除菌容器３１内に右から保護管５３を収納し、除菌容器３１内に保護管５３を収納した後に除菌容器３１の右端部に右蓋３４を固定しても良い。
【００４６】
上記実施例１においては、左蓋３３の左反射面５５および右蓋３４の右反射面５７のそれぞれを平面としても良い。
上記実施例１においては、左蓋３３および右蓋３４のそれぞれを除菌容器３１に接着剤で固定しても良い。
【００４７】
上記実施例１においては、左蓋３３の左反射面５５から左反射層５６を廃止し、右蓋３４の右反射面５７から右反射層５８を廃止しても良い。即ち、紫外線を左蓋３３の左反射面５５および右蓋３４の右反射層５８のそれぞれで直接的に反射しても良い。この場合には左蓋３３および右蓋３４のそれぞれを金属製とすると良い。
【００４８】
上記実施例１においては、左蓋３３の左反射面５５にアルミメッキを施すことで左反射層を形成し、右蓋３４の右反射面５７にアルミメッキを施すことで右反射層を形成しても良い。
【００４９】
上記実施例１においては、左蓋３３の左反射面５５にステンレスを貼付することで左反射層を形成し、右蓋３４の右反射面５７にステンレスを貼付することで右反射層を形成しても良い。
【００５０】
上記実施例１においては、外箱１内に除菌容器３１を上下方向へ指向する縦向きに配置しても良い。
上記実施例１においては、除菌容器３１の内周面にアルミニウムを蒸着することで反射層を形成しても良い。
【００５１】
上記実施例１においては、保護容器５３を石英ガラスまたはＰＦＡ（ペルフルオロアルコキシフッ素樹脂）または四フッ化エチレン・六フッ化プロピレン共重合体）を材料に成形しても良い。
【００５２】
上記実施例１においては、水を除菌することで飲料水とする除菌浄化装置に本発明を適用しても良い。
上記実施例１においては、除菌の対象として風呂水を例に説明したが、一度すすぎに使用した水や雨水等であっても良い。
【００５３】
以上に説明した除菌浄化装置２２は上記実施例にのみ限定されるものではなく、要旨を逸脱しない範囲内で適宜変更して実施し得る。実施例は例として提示したものであり、発明の範囲を限定することは意図していない。この新規な実施例はその他の様々な例で実施されることが可能であり、発明の要旨を逸脱しない範囲で種々の省略、置き換え、変更を行うことができる。これら実施例やその変形例は発明の範囲や要旨に含まれると共に特許請求の範囲に記載された発明とその均等の範囲に含まれる。
【符号の説明】
【００５４】
２３は入口、２４は出口、３１は除菌容器、３２は反射板（反射層）、３３は左蓋（第１の蓋）、３４は右蓋（第２の蓋）、３７は除菌室、４２は左ランプ挿入孔（第１の貫通孔）、４３は左ランプ固定ゴム（第１の固定部材）、４４は右ランプ挿入孔（第２の貫通孔）、４５は右ランプ固定ゴム（第２の固定部材）、４６は紫外線ランプ、４９は左シール部材（第１のシール部材）、５１は右シール部材（第２のシール部材）、５３は保護管、５５は左反射面（第１の反射面）、５６は左反射層（第１の反射層）、５７は右反射面（第２の反射面）、５８は右反射層（第２の反射層）である。
【図１】
2014014798.tif 000003
【図２】
2014014798.tif 000004
【図３】
2014014798.tif 000005